(57)【要約】【課題】  容易に自立可能な遊技盤を提供する。【解決手段】  本発明に係る遊技盤は、前面に遊技領域が設けられるとともに、背面に遊技部品を含む球寄せカバー１０等の背面機構部品が設けられた遊技盤１において、一端側に設けられて球寄せカバー１０と係合するカバー係合部３２と、他端側に設けられて遊技盤１が載置された面Ｓに当接可能な載置面支持部３３とを有し、所定の面上に遊技盤１が載置されるとともに遊技盤１が載置された面Ｓに載置面支持部３３が当接した状態で、遊技盤１の背面側を支持して遊技盤１を自立させるように構成された傾倒防止機構３０（揺動アーム３１）を備えて構成される。【選択図】  図３
2005211186.tif 000002
【特許請求の範囲】
【請求項１】
前面に遊技領域が設けられるとともに、背面に遊技部品を含む背面機構部品が設けられた遊技盤において、
一端側に設けられて前記背面機構部品と係合する背面機構部品係合部と、他端側に設けられて前記遊技盤が載置された面に当接可能な載置面支持部とを有し、所定の面上に前記遊技盤が載置されるとともに前記遊技盤が載置された面に前記載置面支持部が当接した状態で、前記遊技盤の背面側を支持して前記遊技盤を自立させるように構成された傾倒防止機構を備えて構成されることを特徴とする遊技盤。
【請求項２】
前記傾倒防止機構に、前記傾倒防止機構を備えた前記遊技盤を持ち運ぶための把持部が設けられていることを特徴とする請求項1に記載の遊技盤。
【発明の詳細な説明】
【技術分野】
【０００１】
本発明は、パチンコ機等の弾球遊技機に用いられる遊技盤に関する。
【背景技術】
【０００２】
弾球遊技機の代表例であるパチンコ機では、遊技施設の遊技島に固定される固定保持用の外枠に開閉搭載用の前枠が横開き開閉可能に取り付けられており、この前枠に設けられた収容枠には前面に遊技領域を有する遊技盤が着脱自在に収容保持され、遊技盤の前方を覆うガラス窓を通して遊技領域を遊技者に臨ませている。遊技盤の前面（遊技領域）には、多数本の遊技釘や、各種入賞具、画像表示装置等の遊技部品が配設されており、遊技盤の背面には、各種入賞具に落入して遊技盤の背面側に達した遊技球を下方へ導く球寄せカバーや、各種回路基板等の背面機構部品が配設されている。
【０００３】
ところで、このような弾球遊技機が設置されて遊技に供される遊技施設において、最初は遊技機全体を遊技施設に設置する必要があるが、これを新しい機種に更新するときには、弾球遊技機の主要構成機構である遊技盤のみを交換することも多い。このとき、遊技盤を交換する際には、交換前、もしくは交換後の遊技盤を破損させないように自立させた状態で一時的に（遊技施設内等に）載置しておく必要がある。
【特許文献１】特開２００２−６５９６８号公報
【特許文献２】特開２００２−３３２０３３号公報
【発明の開示】
【発明が解決しようとする課題】
【０００４】
しかしながら、遊技盤は安定性が悪く自立しにくいため、壁等に立てかけたり、治具を用いたりすることで、遊技盤を自立させていた。ところが、遊技盤を壁等に立てかけたり、治具を用いたりした場合には、遊技盤は不安定な状態で自立しているため、衝撃や振動等により遊技盤が転倒して破損するおそれがあった。
【０００５】
本発明は、このような問題に鑑みて成されたものであり、容易に自立可能な遊技盤を提供することを目的とする。
【課題を解決するための手段】
【０００６】
このような目的達成のため、本発明に係る遊技盤は、前面に遊技領域が設けられるとともに、背面に遊技部品を含む背面機構部品が設けられた遊技盤において、一端側に設けられて背面機構部品と係合する背面機構部品係合部と、他端側に設けられて遊技盤が載置された面に当接可能な載置面支持部とを有し、所定の面上に遊技盤が載置されるとともに遊技盤が載置された面に載置面支持部が当接した状態で、遊技盤の背面側を支持して遊技盤を自立させるように構成された傾倒防止機構を備えて構成される。
【０００７】
また、上述の発明において、傾倒防止機構に、この傾倒防止機構を備えた遊技盤を持ち運ぶための把持部が設けられていることが好ましい。
【発明の効果】
【０００８】
本発明によれば、遊技盤に、遊技盤の背面側を支持して遊技盤を自立させる傾倒防止機構が設けられるため、この傾倒防止機構を用いて遊技盤を容易に自立させることができる。
【０００９】
また、傾倒防止機構に遊技盤を持ち運ぶための把持部を設けることで、遊技盤を容易に持ち運ぶことができる。
【発明を実施するための最良の形態】
【００１０】
以下、本発明の好ましい実施形態について図面を参照しながら説明する。本発明に係る第１実施形態の遊技盤１を図１〜図３に示しており、まず、これらの図面を参照しながら遊技盤１の全体構成について説明する。ここで、図１は第１実施形態の遊技盤１を備えたパチンコ機ＰＭの正面図、図２は第１実施形態における遊技盤１の背面図、そして図３は遊技盤１の右側面図である。
【００１１】
この遊技盤１は、図１に示すように、弾球遊技機の代表例であるパチンコ機ＰＭに使用されるものである。このパチンコ機ＰＭでは、固定保持用の外枠Ｐ１に開閉搭載用の前枠Ｐ２が横開き開閉可能に取り付けられており、この前枠Ｐ２に設けられた収容枠（図示せず）に遊技盤１が（前枠Ｐ２の後方から）着脱自在に収容保持される。なお、前枠Ｐ２の前側にはガラス窓Ｐ３が横開き開閉可能に取り付けられており、このガラス窓Ｐ３を通して遊技盤前面の遊技領域ＰＡを遊技者に臨ませている。
【００１２】
遊技盤１は、図２および図３に示すように、板厚１９mm程度の積層合板を図示する所定形状に切断およびルーター加工して、その前面に所定意匠のセルを貼り付けた化粧板（ベニヤとも称される）２を基板として構成される。化粧板２の前面側には、図１に示すように、レール飾り部材３とともに設けられた内外の案内レール８ａ，８ｂに囲まれて略円形の遊技領域ＰＡが区画形成される。遊技領域ＰＡには、多数本の遊技釘や、一般入賞具４、始動具５およびアタッカー６といった各入賞具、画像表示装置９等の遊技部品が所定のゲージ設定に基づいて配設される。遊技領域ＰＡの下端には、各入賞具に落入せずに落下した遊技球（「アウト球」という）を遊技盤１の背面側に排出させるアウト口７が設けられている。
【００１３】
各入賞具４，５，６に落入した遊技球（「セーフ球」という）は、各入賞具に設けられた各入賞口スイッチ４ａ，５ａ，６ａに検出され、化粧板２を貫通するセーフ球通路孔（図示せず）を通って遊技盤１の背面側に排出される。また、アウト口７に集められたアウト球は化粧板２を貫通するアウト球通路孔７ａを通って遊技盤１の背面側に排出される。
【００１４】
遊技盤１の背面には、球寄せカバー１０等の遊技部品を含む各種背面機構部品が配設される。球寄せカバー１０は、遊技盤１の背面側に排出されたセーフ球を下方へ流下させるためのものであり、その内部には、セーフ球を球寄せカバー１０の下方へ排出させるためのセーフ球流下経路１０ａ（図４を参照）が形成される。
【００１５】
球寄せカバー１０には、図２に示すように、画像表示装置９の画像表示制御を行う画像処理基板２０や、遊技盤１に取り付けられた各種遊技盤ランプへの点灯信号の中継を行うランプ中継基板２１、遊技機の作動状態を遊技施設側に出力するための外部出力端子基板２２、各入賞口スイッチからの検出信号や遊技盤１に取り付けられた各種ソレノイドへの駆動信号の中継を行うスイッチ・ソレノイド中継基板２３等の各種回路基板が着脱交換可能に取り付けられる。なお、画像処理基板２０は、収容ケース２５に納められた状態で球寄せカバー１０の基板取付部１１に取り付けられており、偽造ＲＯＭへの差し替え等の不正改造を受け難いようになっている。
【００１６】
上述したように、遊技盤１はパチンコ機ＰＭの前枠Ｐ２に設けられた収容枠（図示せず）に収容保持され、この状態でパチンコ機ＰＭによる遊技が行われる。そして、遊技者が前枠Ｐ２に設けられた球皿Ｐ４に遊技球を貯留させて操作ハンドルＰ５を回動操作すると、球皿Ｐ４に貯留された遊技球が図示しない打球発射装置により１球ずつ遊技盤１の遊技領域ＰＡに打ち出され、以降パチンコゲームが展開される。
【００１７】
以上のように概要構成される遊技盤１には、遊技盤１を自立させるための傾倒防止機構３０が設けられている。以下、傾倒防止機構３０について図４〜図６を追加参照しながら説明する。ここで、図４は傾倒防止機構３０の取り付け部付近を示す平面図（部分断面図）、図５は傾倒防止機構３０の取り付け部付近を示す背面図（部分断面図）、図６（ａ）は揺動アーム３１の係合ピン３４とアーム固定部材４１の第１係合穴４３とが係合した状態を示す右側面図、図６（ｂ）は揺動アーム３１の係合ピン３４とアーム固定部材４１の第２係合穴４４とが係合する途中を示す右側面図、そして図６（ｃ）は揺動アーム３１の係合ピン３４とアーム固定部材４１の第２係合穴４４とが係合した状態を示す右側面図である。
【００１８】
傾倒防止機構３０は、球寄せカバー１０に揺動自在に取り付けられた揺動アーム３１と、揺動アーム３１を固定するためのアーム固定部材４１とを主体に構成される。揺動アーム３１は、図２に示すように、ステンレス等の金属線材を用いて、切断、折り曲げ等の成形手段によりコの字形に形成される。揺動アーム３１の一端側２箇所には、カバー係合部３２がそれぞれ内側に折り曲げられて形成されており、図４および図５に示すように、球寄せカバー１０の取り付け穴１３と係合するようになっている。
【００１９】
この取り付け穴１３は、球寄せカバー１０の左右側部にそれぞれ内側へ突出して形成されたボス部１２の中央に貫通して形成される。そして、このような取り付け穴１３に揺動アーム３１のカバー係合部３２をそれぞれ係合させることで、揺動アーム３１がカバー係合部３２を揺動軸として球寄せカバー１０に上下方向へ揺動自在に取り付けられる。また、カバー係合部３２の先端部近傍には係合溝３２ａが形成されており、この係合溝３２ａに円筒状の抜け止め部材３６を係合させることにより、抜け止め部材３６がボス部１２に当接してカバー係合部３２が取り付け穴１３から抜け出ないようになっている。
【００２０】
揺動アーム３１の他端側には、載置面支持部３３が左右に繋がって形成されており、図３に示すように、所定の面上に（化粧板２の下端を当接させて）遊技盤１が載置された状態で揺動アーム３１を下方へ揺動させると、遊技盤１が載置された（化粧板２の下端が当接する）面Ｓに載置面支持部３３が当接するようになっている。なお、載置面支持部３３は、棒状の把持しやすい形状となっており、遊技盤１を持ち運ぶための把持部としての機能を有している。また、揺動アーム３１の左右側部には係合ピン３４がそれぞれ設けられており、図６（ａ）〜（ｃ）に示すように、アーム固定部材４１の各係合穴４３，４４とそれぞれ係合可能に構成されている。
【００２１】
アーム固定部材４１は、図５および図６（ａ）に示すように、所定板厚の金属板を用いて、切断、孔あけなどの成形手段により板状に形成される。アーム固定部材４１の一端側には軸部材４２が固設されており、球寄せカバー１０に形成された軸穴１４と係合することで、アーム固定部材４１が軸部材４２を揺動軸として球寄せカバー１０に上下方向へ揺動自在に取り付けられる。なお、軸部材４２は、図５に示すように、止め輪４６を用いて軸穴１４から抜け出ないにようになっている。
【００２２】
アーム固定部材４１の他端側には第１係合穴４３が形成されており、図３および図６（ａ）に示すように、揺動アーム３１が化粧板２に対し所定角度（例えば、化粧板２に対して４５度）傾く第１固定位置（遊技盤１が自立可能な位置）に位置した状態で、揺動アーム３１の係合ピン３４と係合するようになっている。また、アーム固定部材４１の中央部には第２係合穴４４が形成されており、図３の二点鎖線および図６（ｃ）に示すように、揺動アーム３１が下方へ揺動して化粧板２に対し略平行な第２固定位置に位置した状態で、係合ピン３４と係合するようになっている。なお、揺動アーム３１が第２固定位置まで揺動すると、揺動アーム３１の載置面支持部３３は化粧板２の下端から（下方へ）突出するようになっている。
【００２３】
また、第２係合穴４４の一端にはガイド部４４ａが形成されており、図６（ｂ）に示すように、第２係合穴４４が係合ピン３４と係合する際に、係合ピン３４を第２係合穴４４へ導くようになっている。これにより、第２係合穴４４を係合ピン３４へ容易に係合させることができる。
【００２４】
なお、球寄せカバー１０の左右側部から上端に繋がって（揺動アーム３１の形状に合わせて）アーム収容部１５が形成されており、揺動アーム３１を上方へ揺動させることで、このアーム収容部１５に揺動アーム３１が収容されるようになっている。また、球寄せカバー１０（アーム収容部１５）の上端には弾性係合片１６が形成されており、揺動アーム３１をアーム収容部１５へ（上方へ）揺動させたときに揺動アーム３１の載置面支持部３３と係合し、揺動アーム３１がアーム収容部１５で固定保持されるようになっている。
【００２５】
このように構成される遊技盤１の傾倒防止機構３０を用いて、遊技盤１を自立させるには、まず、図６（ａ）に示すように、アーム収容部１５に収容された揺動アーム３１を第１固定位置に揺動させ、この状態でアーム固定部材４１を揺動させることにより、揺動アーム３１の係合ピン３４とアーム固定部材４１の第１係合穴４３とを係合させる。このとき、球寄せカバー１０に取り付けられたアーム固定部材４１により揺動アーム３１が第１固定位置に固定される。そして、遊技盤１を所定の面上に載置する（化粧板２の下端を面Ｓに当接させる）とともに、この遊技盤１が載置される面Ｓに揺動アーム３１の載置面支持部３３を当接させ、揺動アーム３１に遊技盤１の背面側を支持させることで遊技盤１を自立させる。これにより、遊技盤１を容易に自立させることができる。
【００２６】
また、この傾倒防止機構３０を用いて、遊技盤１を持ち運ぶには、まず、図６（ｃ）に示すように、アーム収容部１５に収容された揺動アーム３１を第２固定位置に揺動させ、この状態でアーム固定部材４１を揺動させることにより、揺動アーム３１の係合ピン３４とアーム固定部材４１の第２係合穴４４とを係合させる。なお、遊技盤１を上下反転させて載置した状態で作業を行うことが好ましい。このとき、球寄せカバー１０に取り付けられたアーム固定部材４１により揺動アーム３１が第２固定位置に固定される。そして、化粧板２の下端から突出した揺動アーム３１の載置面支持部３３を把持することにより、遊技盤１を（上下反転させた状態で）容易に持ち運ぶことができる。
【００２７】
なお、揺動アーム３１をアーム収容部１５に収容するには、揺動アーム３１の係合ピン３４とアーム固定部材４１の各係合穴４３，４４との係合状態を解除した後、揺動アーム３１を上方へ揺動させてアーム収容部１５に収容すればよい。このとき、揺動アーム３１の載置面支持部３３が球寄せカバー１０の弾性係合片１６と係合し、揺動アーム３１がアーム収容部１５で固定保持される。
【００２８】
以上に説明した第１実施形態の遊技盤１によれば、遊技盤１に、遊技盤１の背面側を支持して遊技盤１を自立させる傾倒防止機構３０が設けられるため、この傾倒防止機構３０を用いて遊技盤１を容易に自立させることができる。
【００２９】
また、傾倒防止機構３０に遊技盤１を持ち運ぶための把持部（載置面支持部３３）を設けることで、遊技盤１を容易に持ち運ぶことができる。
【００３０】
なお、上述の第１実施形態において、傾倒防止機構３０の揺動アーム３１が球寄せカバー１０に取り付けられているが、これに限られるものではなく、例えば、球寄せカバー１０基板取付部１１や収容ケース２５、さらには、これらを覆う覆い部材（図示せず）等、遊技盤１の背面機構部品に取り付けられていればよい。すなわち、揺動アーム３１のカバー係合部３２は背面機構部品のいずれかと係合していればよい。
【００３１】
次に、遊技盤の第２実施形態について図７および図８を参照しながら説明する。ここで、図７は第２実施形態における遊技盤５１の背面図、図８は遊技盤５１の左側面図である。第２実施形態の遊技盤５１は、第１実施形態の遊技盤１と同様に、前面に所定意匠のセルを貼り付けた化粧板５２を基板として構成される。化粧板５２の前面側には、各種遊技部品５３（図８を参照）が所定のゲージ設定に基づいて配設される。なお、入賞具等の個々の遊技部品については、第１実施形態の遊技盤１と同様の構成であるため、図示説明を省略する。
【００３２】
また、化粧板５２の四隅には、レバー係止部材５４がそれぞれ配設されており、図示しないパチンコ機の前枠（収容枠）に設けられた固定レバー（図示せず）が、レバー係止部材５４の前面側に係止するようになっている。すなわち、この遊技盤５１は、固定レバーを用いてパチンコ機の前枠（収容枠）に（前枠の）前方から着脱自在に収容保持される構成となっている。
【００３３】
遊技盤５１の背面には、球寄せカバー６０をはじめとする背面機構部品が配設される。球寄せカバー６０は、（第１実施形態における）傾倒防止機構３０の揺動アーム３１が取り付けられない他は、第１実施形態の球寄せカバー１０と同様の構成であり、詳細な説明を省略する。球寄せカバー６０には、図７に示すように、画像処理基板６５や、中継基板６６等の各種回路基板が着脱交換可能に取り付けられる。また、画像処理基板６５は、第１実施形態の画像処理基板２０と同様に、収容ケース６７に納められた状態で球寄せカバー６０の基板取付部６１に取り付けられる。また、遊技盤５１の背面下部には、球寄せカバー６０の下部を覆うように基板台座７０が取り付けられており、この基板台座７０には、パチンコ機の作動を統括的に制御するメイン基板７５を内部に収容したメイン基板ケース７６が着脱交換可能に取り付けられる。
【００３４】
そして、以上のように概要構成される遊技盤５１には、第２実施形態の傾倒防止機構８０が設けられている。この傾倒防止機構８０は、基板台座７０の下部に揺動自在に取り付けられた揺動アーム８１を主体に構成される。揺動アーム８１は、図７および図８に示すように、ポリカーボネートやＡＢＳ樹脂等の樹脂材料を用いて、射出成形等の成形手段により図示する形状に一体的に形成される。揺動アーム８１の一端側２箇所には、軸状のカバー係合部８２（図８を参照）がそれぞれ左右に突出して形成されており、基板台座７０の下部に形成された取り付け穴（図示せず）と係合するようになっている。そして、カバー係合部８２が基板台座７０の取り付け穴と係合した状態で、揺動アーム８１がカバー係合部８２を揺動軸として基板台座７０に上下方向へ揺動自在に取り付けられるようになっている。
【００３５】
揺動アーム８１の他端側には、載置面支持部８３が左右に繋がって形成されており、図７および図８に示すように、揺動アーム５１を下方へ揺動させて、所定の面上に（化粧板５２の下端を当接させて）遊技盤５１を載置すると、遊技盤５１（化粧板５２）が載置された（化粧板５２の下端が当接した）面Ｓに載置面支持部８３が当接するようになっている。なおこのとき、揺動アーム８１は化粧板５２に対し所定角度後方へ傾斜していることが好ましい。このようにすれば、揺動アーム８１が遊技盤５１の背面側をより安定して支持することができる。
【００３６】
また、載置面支持部８３は、角棒状の把持しやすい形状となっており、遊技盤５１を持ち運ぶための把持部としての機能を有している。さらに、載置面支持部８３の上部には、波形の指掛け部８５が形成されており、載置面支持部８３をより確実に把持できるようになっている。これにより、遊技盤５１を容易に持ち運ぶことができる。
【００３７】
なお、基板台座７０の下部には、揺動アーム８１を収容可能なアーム収容部７１が形成されており、図８の二点鎖線で示すように、揺動アーム８１を上方へ揺動させると、このアーム収容部７１に揺動アーム８１が収容されるようになっている。また、基板台座７０の下部における取り付け穴（図示せず）の周囲には、揺動アーム８１の一端側（カバー係合部８２の周囲）に摺接するアーム摺接部７２が形成されており、このアーム摺接部７２と揺動アーム８１との間に作用する摩擦力により、揺動アーム８１が所望の揺動位置で保持されるようになっている。例えば、図８の二点鎖線で示すように、揺動アーム８１をアーム収容部７１へ（上方へ）揺動させると、アーム摺接部７２と揺動アーム８１との間に作用する摩擦力により、揺動アーム８１がアーム収容部７１に収容保持されるようになっている。
【００３８】
このように構成される遊技盤５１の傾倒防止機構８０を用いて、遊技盤５１を自立させるには、まず、アーム収容部７１に収容された揺動アーム８１をアーム摺接部７２と揺動アーム８１との間に作用する摩擦力に抗して下方へ揺動させ、載置面支持部８３の下端面が化粧板５２の下端面と同一面上に並ぶ支持揺動位置に位置させる。このとき、基板台座７０のアーム摺接部７２と揺動アーム８１との間に作用する摩擦力により、揺動アーム８１はこの支持揺動位置に保持される。そして、図７および図８に示すように、遊技盤５１を所定の面上に載置する（化粧板５２の下端を面Ｓに当接させる）とともに、この遊技盤５１が載置される面Ｓに揺動アーム８１の載置面支持部８３（下端）を当接させ、揺動アーム８１に遊技盤５１の背面側を支持させることで遊技盤５１を自立させる。これにより、遊技盤５１を容易に自立させることができる。
【００３９】
また、この傾倒防止機構８０を用いて遊技盤５１を持ち運ぶには、支持揺動位置に位置する載置面支持部８３を把持するようにすればよい。このようにすれば、遊技盤５１を容易に持ち運ぶことができる。なおこのとき、アーム摺接部７２と揺動アーム８１との間に作用する摩擦力により、揺動アーム８１が支持揺動位置に保持されるため、載置面支持部８３の把持による遊技盤５１の持ち運びが可能になる。
【００４０】
なお、揺動アーム８１をアーム収容部７１に収容するには、（アーム摺接部７２と揺動アーム８１との間の摩擦力に抗して）揺動アーム８１を上方へ揺動させればよい。このとき、アーム摺接部７２と揺動アーム８１との間に作用する摩擦力により、揺動アーム８１がアーム収容部７１に収容保持される。なおこのとき、蝶ナット等を用いて（カバー係合部８２に螺合させて）揺動アーム８１をアーム摺接部７２へ締め付けるようにしてもよい。
【００４１】
以上に説明した第２実施形態の遊技盤５１によれば、遊技盤５１に、遊技盤５１の背面側を支持して遊技盤５１を自立させる傾倒防止機構８０が設けられるため、この傾倒防止機構８０を用いて遊技盤５１を容易に自立させることができる。
【００４２】
また、傾倒防止機構８０に遊技盤５１を持ち運ぶための把持部（載置面支持部８３）を設けることで、遊技盤５１を容易に持ち運ぶことができる。
【００４３】
なお、上述の第２実施形態において、傾倒防止機構８０の揺動アーム８１が基板台座７０に取り付けられているが、これに限られるものではなく、例えば、球寄せカバー６０や、遊技盤５１の背面側を覆う覆い部材（図示せず）等、遊技盤５１の背面機構部品に取り付けられていればよい。すなわち、揺動アーム８１のカバー係合部８２は背面機構部品のいずれかと係合していればよい。
【００４４】
また、上述の第２実施形態において、傾倒防止機構をメイン基板ケースの仮止め機構として機能させるようにしてもよい。例えば、図９に示すように、傾倒防止機構９５に構成される揺動アーム９６を側面視Ｌ字形に形成し、基板台座７０に取り付けられた揺動アーム９６を下方へ揺動させて支持揺動位置に位置させると、揺動アーム９６の端部に形成される載置面支持部９８が遊技盤９１の載置面Ｓに当接可能となり、図９の二点鎖線で示すように、揺動アーム９６を上方へ揺動させて係止揺動位置に位置させると、載置面支持部９８がメイン基板ケース７６の背面側に係止可能となるようにしてもよい。
【００４５】
なお、揺動アーム９６が係止揺動位置に位置する場合には、基板台座７０のアーム摺接部７２と揺動アーム９６との間に作用する摩擦力により、揺動アーム９６がメイン基板ケース７６に対し係止保持される。また、揺動アーム９６が支持揺動位置に位置して遊技盤９１の背面側を支持する場合には、揺動アーム９６の上部が基板台座７０に形成されるストッパー部７３に当接して揺動アーム９６の揺動が規制される。
【００４６】
続いて、遊技盤の第３実施形態について図１０〜図１２を参照しながら説明する。ここで、図１０は第３実施形態における遊技盤１０１の斜視図、図１１は傾倒防止機構１３０の取り付け部付近を示す平面図（部分断面図）、そして図１２は傾倒防止機構１３０の取り付け部付近を示す右側面図（部分断面図）である。第３実施形態の遊技盤１０１は、第２実施形態の遊技盤５１と比較して傾倒防止機構１３０の揺動アーム１３１が球寄せカバー１１０に取り付けられる点が異なっており、他の装置構成は同様であるため同一部位に同一番号を付して重複説明を省略する。なお、図１０において、基板台座の図示を省略している。
【００４７】
遊技盤１０１の背面に配設された球寄せカバー１１０には、第３実施形態の傾倒防止機構１３０が設けられる。この傾倒防止機構１３０は、球寄せカバー１１０に揺動可能に取り付けられた揺動アーム１３１を主体に構成される。揺動アーム１３１は、ステンレス等の金属板材を用いて、切断、折り曲げ等の成形手段によりコの字形（枠状）に形成される。揺動アーム１３１の一端側２箇所（内側）には、図１１に示すように、軸（円柱）状のカバー係合部１３２が互いに対向して固設されており、球寄せカバー１１０の取り付け穴１１２を通過するようになっている。
【００４８】
この取り付け穴１１２は、図１２に示すように、球寄せカバー１１０の左右側部にコの字形（長穴状）に形成されており、カバー係合部１３２と係合可能な第１係合穴部１１３と、第１係合穴部１１３の上方に形成されてカバー係合部１３２と係合可能な第２係合穴部１１４と、これらを上下に繋ぐ通過穴部１１５とから構成される。第１係合穴部１１３は、取り付け穴１１２の下部に前後方向へ延びるように形成されており、カバー係合部１３２に形成される係合面１３２ａ，１３２ａの間隔とほぼ同じ幅を有している。第２係合穴部１１４は、取り付け穴１１２の上部に第１係合穴部１１３と（所定間隔離れて）平行に延びて形成されており、同様に、カバー係合部１３２の係合面１３２ａ，１３２ａの間隔とほぼ同じ幅を有している。
【００４９】
通過穴部１１５は、第１係合穴部１１３および第２係合穴部１１４の後部（背面側）にそれぞれ繋がって上下方向へ延びるように形成されており、カバー係合部１３２の直径よりも若干大きい幅を有している。これにより、通過穴部１１５においてカバー係合部１３２を上下に移動させることができるとともに、カバー係合部１３２を揺動軸として揺動アーム１３１を上下に揺動させることができる。
【００５０】
ところで、図１２に示すように、カバー係合部１３２の側部には、第１係合穴部１１３および第２係合穴部１１４の上下底面に当接可能な一対の係合面１３２ａ，１３２ａが形成されており、この係合面１３２ａ，１３２ａが第１係合穴部１１３もしくは第２係合穴部１１４の上下底面に当接した状態で、カバー係合部１３２が第１係合穴部１１３もしくは第２係合穴部１１４と係合するようになっている。また、一対の係合面１３２ａ，１３２ａは、揺動アーム１３１の延びる方向に対して所定角度（例えば、揺動アーム１３１に対して３０度）傾斜しており、カバー係合部１３２が第１係合穴部１１３もしくは第２係合穴部１１４と係合すると、揺動アーム１３１が化粧板５２に対して所定角度（例えば、化粧板５２に対して３０度）傾斜し、揺動アーム１３１の揺動が規制されるようになっている。
【００５１】
なお、図１１に示すように、カバー係合部１３２の先端には、カバー係合部１３２より径の大きい円盤状の抜け止め部１３６が形成されており、カバー係合部１３２が球寄せカバー１１０の取り付け穴１１２から抜け出ないようになっている。
【００５２】
図１０に示すように、揺動アーム１３１の他端側には、載置面支持部１３３が左右に繋がって形成されており、所定の面上に（化粧板５２の下端を当接させて）遊技盤１０１が後方へ傾いて載置された状態で揺動アーム１３１を下方へ揺動させると、遊技盤１０１が載置された（化粧板５２の下端が当接する）面に載置面支持部１３３が当接するようになっている。
【００５３】
なお、第１実施形態の球寄せカバー１０と同様に、球寄せカバー１１０の左右側部から上端に繋がって（揺動アーム１３１の形状に合わせて）アーム収容部１１６が形成されており、揺動アーム１３１を上方へ揺動させることで、このアーム収容部１１６に揺動アーム１３１が収容されるようになっている。また、揺動アーム１３１をアーム収容部１１６へ（上方へ）揺動させると、載置面支持部１３３が球寄せカバー１１０（もしくは化粧板５２）の上部に形成された係合部材１１７に係合し、揺動アーム１３１がアーム収容部１１６で固定保持されるようになっている。
【００５４】
このように構成される遊技盤１０１の傾倒防止機構１３０を用いて、遊技盤１０１を自立させるには、まず、アーム収容部１１６に収容された揺動アーム１３１を下方に揺動させ、揺動アーム１３１のカバー係合部１３２を取り付け穴１１２の第１係合穴部１１３もしくは第２係合穴部１１４と係合させる。
【００５５】
このとき、例えば、カバー係合部１３２を第１係合穴部１１３の後方に位置させるとともに、カバー係合部１３２の各係合面１３２ａ，１３２ａが第１係合穴部１１３の上下底面と平行になるように揺動アーム１３１を揺動させ、この状態で揺動アーム１３１（カバー係合部１３２）を前方に平行移動させる。そうすると、各係合面１３２ａ，１３２ａが第１係合穴部１１３の上下底面に当接してカバー係合部１３２が第１係合穴部１１３と係合し、揺動アーム１３１が化粧板５２に対して所定角度傾斜した状態で保持される（すなわち、揺動アーム１３１の揺動が規制される）。
【００５６】
また例えば、カバー係合部１３２を第２係合穴部１１４の後方に位置させるとともに、カバー係合部１３２の各係合面１３２ａ，１３２ａが第１係合穴部１１４の上下底面と平行になるように揺動アーム１３１を揺動させ、この状態で揺動アーム１３１（カバー係合部１３２）を前方に平行移動させる。そうすると、各係合面１３２ａ，１３２ａが第２係合穴部１１４の上下底面に当接してカバー係合部１３２が第２係合穴部１１４と係合し、揺動アーム１３１が化粧板５２に対して所定角度傾斜した状態で保持される（すなわち、揺動アーム１３１の揺動が規制される）。
【００５７】
このようにして、揺動アーム１３１が化粧板５２に対し所定角度傾斜して揺動アーム１３１の揺動が規制された状態で、遊技盤１０１を所定の面上に載置する（化粧板５２の下端を載置面に当接させる）とともに、この遊技盤１０１が載置される面に揺動アーム１３１の載置面支持部１３３を当接させ、揺動アーム１３１に遊技盤１０１の背面側を支持させることで遊技盤１０１を自立させる。これにより、遊技盤１０１を容易に自立させることができる。
【００５８】
また、カバー係合部１３２が第２係合穴部１１４と係合する場合には、載置面支持部１３３の（化粧板５２に対する）相対的な高さが第１係合穴部１１３と係合する場合より高くなるため、揺動アーム１３１が遊技盤１０１の背面側を支持する際の遊技盤１０１の傾斜角度は、第１係合穴部１１３と係合する場合より大きくなる。これにより、カバー係合部１３２の係合位置（第１係合穴部１１３もしくは第２係合穴部１１４）を変えることで、遊技盤１０１を自立させる際の傾斜角度を必要に応じて変化させることができる。
【００５９】
なお、揺動アーム１３１をアーム収容部１１６に収容するには、揺動アーム１３１を後方に平行移動させてカバー係合部１３２と各係合穴部１１３，１１４との係合状態を解除した後、揺動アーム１３１を上方へ揺動させてアーム収容部１１６に収容すればよい。このとき、揺動アーム１３１の載置面支持部１３３が係合部材１１７に係合し、揺動アーム１３１がアーム収容部１１６で固定保持される。
【００６０】
以上に説明した第３実施形態の遊技盤１０１によれば、遊技盤１０１に、遊技盤１０１の背面側を支持して遊技盤１を自立させる傾倒防止機構１３０が設けられるため、この傾倒防止機構１３０を用いて遊技盤１０１を容易に自立させることができる。
【００６１】
また、球寄せカバー１１０の取り付け穴１１２が揺動アーム１３１のカバー係合部１３２と係合可能な第１係合穴部１１３および第２係合穴部１１４を有して構成されているため、カバー係合部１３２の係合位置（第１係合穴部１１３もしくは第２係合穴部１１４）を変えることで、遊技盤１０１を自立させる際の傾斜角度を必要に応じて変化させることができる。
【００６２】
なお、上述の第３実施形態において、揺動アーム１３１の載置面支持部１３３を把持して遊技盤１０１を持ち運べるようにしてもよい。このようにすれば、遊技盤１０１を容易に持ち運ぶことができる。なおこのとき、アーム固定部材等を用いて揺動アーム１３１を（載置面支持部１３３を把持可能な）所定揺動位置で固定可能にすることが好ましい。
【００６３】
また、上述の各実施形態において、パチンコ機に構成される遊技盤に本発明を適用しているが、これに限られるものではなく、例えば、アレンジボール機や雀球遊技機等の弾球遊技機に構成される遊技盤に対しても本発明を適用することができる。
【図面の簡単な説明】
【００６４】
【図１】本発明に係る第１実施形態の遊技盤を備えたパチンコ機の正面図である。
【図２】本発明に係る第１実施形態における遊技盤の背面図である。
【図３】上記遊技盤の右側面図である。
【図４】傾倒防止機構の取り付け部付近を示す平面図（部分断面図）である。
【図５】傾倒防止機構の取り付け部付近を示す背面図（部分断面図）である。
【図６】（ａ）は揺動アームの係合ピンとアーム固定部材の第１係合穴とが係合した状態を示す右側面図、（ｂ）は係合ピンと第２係合穴とが係合する途中を示す右側面図、（ｃ）は係合ピンと第２係合穴とが係合した状態を示す右側面図である。
【図７】第２実施形態における遊技盤の背面図である。
【図８】第２実施形態における遊技盤の左側面図である。
【図９】第２実施形態における遊技盤の変形例を示す左側面図である。
【図１０】第３実施形態における遊技盤の斜視図である。
【図１１】第３実施形態における傾倒防止機構の取り付け部付近を示す平面図（部分断面図）である。
【図１２】第３実施形態における傾倒防止機構の取り付け部付近を示す右側面図（部分断面図）である。
【符号の説明】
【００６５】
１  遊技盤（第１実施形態）
２  化粧板
３  レール飾り部材
４  一般入賞具（４ａ  入賞口スイッチ）
５  始動具（５ａ  入賞口スイッチ）
６  アタッカー（６ａ  入賞口スイッチ）
７  アウト口（７ａ  アウト球通路孔）
８ａ  外レール
８ｂ  内レール
９  画像表示装置
１０  球寄せカバー（１０ａ  セーフ球流下経路）
１１  基板取付部
１２  ボス部弾性
１３  取り付け穴
１４  軸穴
１５  アーム収容部
１６  弾性係合片
２０  画像処理基板
２１  ランプ中継基板
２２  外部出力端子基板
２３  スイッチ・ソレノイド中継基板
２５  収容ケース
３０  傾倒防止機構
３１  揺動アーム
３２  カバー係合部（３２ａ  係合溝）
３３  載置面支持部
３４  係合ピン
３６  抜け止め部材
４１  アーム固定部材
４２  軸部
４３  第１係合穴
４４  第２係合穴（４４ａ  ガイド部）
４６  止め輪
５１  遊技盤（第２実施形態）
５２  化粧板
５３  各種遊技部品
５４  レバー係止部材
６０  球寄せカバー
６１  基板取付部
６５  画像処理基板
６６  中継基板
６７  収容ケース
７０  基板台座
７１  アーム収容部
７２  アーム摺接部
７３  ストッパー部
７５  メイン基板
７６  メイン基板ケース
８０  傾倒防止機構
８１  揺動アーム
８２  カバー係合部
８３  載置面支持部
８５  指掛け部
９１  遊技盤（第２実施形態の変形例）
９５  傾倒防止機構
９６  揺動アーム
９８  載置面支持部
１０１  遊技盤（第３実施形態）
１１０  球寄せカバー
１１１  基板取付部
１１２  取り付け穴
１１３  第１係合穴部
１１４  第２係合穴部
１１５  通過穴部
１１６  アーム収容部
１１７  係合部材
１３０  傾倒防止機構
１３１  揺動アーム
１３２  アーム係合部（１３２ａ  係合面）
１３３  載置面支持部
１３６  抜け止め部
Ｓ  遊技盤が載置される面
ＰＡ  遊技領域
ＰＭ  パチンコ機
Ｐ１  外枠
Ｐ２  前枠
Ｐ３  ガラス窓
Ｐ４  球皿
Ｐ５  操作ハンドル
【図１】
2005211186.tif 000003
【図２】
2005211186.tif 000004
【図３】
2005211186.tif 000005
【図４】
2005211186.tif 000006
【図５】
2005211186.tif 000007
【図６】
2005211186.tif 000008
【図７】
2005211186.tif 000009
【図８】
2005211186.tif 000010
【図９】
2005211186.tif 000011
【図１０】
2005211186.tif 000012
【図１１】
2005211186.tif 000013
【図１２】
2005211186.tif 000014